(57)【要約】      （修正有）【課題】硫酸ポリグロン酸若しくは薬学的に許容されるその塩、その調製方法並びに腫瘍成長及び／又は腫瘍転移阻害剤の調製における硫酸ポリグロン酸の使用の提供。【解決手段】下式に示す糖環がＣ−２位において完全に硫酸化されている硫酸ポリグロン酸。2019090056.tif 000011［式中ｎは、０又は１〜２３の整数を表し、Ｒ1はＳＯ3Ｈであり、Ｒ2は互いに独立に、Ｈ又はＳＯ3Ｈを表す］【選択図】なし【特許請求の範囲】
【請求項１】
Ｌ−グルロン酸単位が１，４−グリコシド結合によって互いに結合しており、ヒドロキシルが還元末端の１位に位置しており、糖環がＣ−２位において完全に硫酸化されている、硫酸ポリグロン酸又は薬学的に許容されるその塩。
【請求項２】
下記の一般式（Ｉ）：
【化１】
2019090056.tif 000008
［式中、
ｎは、０又は１〜２３の整数を表し、
Ｒ１はＳＯ３Ｈであり、
Ｒ２は、互いに独立に、Ｈ又はＳＯ３Ｈを表す］
の構造を有し、但し、硫酸ポリグロン酸の硫黄含有量として計算される硫酸化度が５〜２０重量％である、硫酸ポリグロン酸又は薬学的に許容されるその塩。
【請求項３】
一般式（Ｉ）において、ｎが、２〜１３の整数、好ましくは３、４、５、６、７又は８である、請求項２に記載の硫酸ポリグロン酸又は薬学的に許容されるその塩。
【請求項４】
硫黄含有量が、７〜１５重量％、好ましくは９〜１３重量％である、請求項２又は３に記載の硫酸ポリグロン酸又は薬学的に許容されるその塩。
【請求項５】
請求項２に記載の硫酸ポリグロン酸又は薬学的に許容されるその塩を調製するための方法であって、下記の構造式（II）において示される通りのポリグルロン酸を、スルホン化試薬と反応させ、続いて、還元剤を介する還元により、一般式（Ｉ）において示される通りの硫酸ポリグロン酸を得るステップを含み、
【化２】
2019090056.tif 000009
構造式（II）において、ｍは、０又は１〜４８の整数を表し、
【化３】
2019090056.tif 000010
一般式（Ｉ）において、ｎ、Ｒ１及びＲ２は、請求項２で定義された通りである、方法。
【請求項６】
スルホン化試薬がクロロスルホン酸であり；スルホン化温度が、４５〜８５℃、好ましくは６０〜７５℃であり；反応時間が、１．５〜４．５時間、好ましくは２〜３．５時間、最も好ましくは３時間であり；及び／又は、還元剤が、水素化ホウ素ナトリウム、シアノ水素化ホウ素ナトリウム、ニッケル水素化物試薬若しくはハロゲンベースの還元剤である、請求項５に記載の方法。
【請求項７】
腫瘍成長及び／又は転移を阻害するための薬剤の調製における、請求項１〜４のいずれかに記載の硫酸ポリグロン酸又は薬学的に許容されるその塩の使用。
【請求項８】
腫瘍が、肝臓がん、胃がん、結腸直腸がん、肺がん、乳がん、膵臓がん、腎臓がん、膀胱がん、前立腺がん、黒色腫及び脳腫瘍からなる群から選択される、請求項７に記載の使用。
【請求項９】
腫瘍成長阻害剤、腫瘍転移阻害剤、血管新生阻害剤、ヘパラナーゼ阻害剤、Ｃ−Ｍｅｔ酵素阻害剤、微小管重合阻害剤、アクチン脱重合因子活性阻害剤及び／又はアクチン凝集阻害剤の調製における、請求項１〜４のいずれかに記載の硫酸ポリグロン酸又は薬学的に許容されるその塩の使用。
【請求項１０】
治療有効量の、請求項１〜４のいずれかに記載の硫酸ポリグロン酸又は薬学的に許容されるその塩を含む、医薬組成物。
【請求項１１】
腫瘍成長及び／又は腫瘍転移阻害剤の調製における、請求項１０に記載の医薬組成物の使用。
【請求項１２】
腫瘍成長阻害剤、腫瘍転移阻害剤、血管新生阻害剤、ヘパラナーゼ阻害剤、Ｃ−Ｍｅｔ酵素阻害剤、微小管重合阻害剤、アクチン脱重合因子活性阻害剤及び／又はアクチン凝集阻害剤の調製における、請求項１０に記載の医薬組成物の使用。
【発明の詳細な説明】
【技術分野】
【０００１】
本発明は、医学分野に関し、特に、硫酸ポリグロン酸（polygulonic acid sulfate）又は薬学的に許容されるその塩、その調製方法並びに腫瘍成長及び／又は腫瘍転移阻害剤の調製におけるその使用に関する。
【背景技術】
【０００２】
腫瘍は、ヒトの生命及び健康に深刻な脅威をもたらす。悪性腫瘍は、都市部では第１位及び農村部では第２位の死因となっており、種々の疾患の中でも死亡率第１位となっている。腫瘍転移は、悪性物の１つの兆候であり、悪性腫瘍の転移及び再発は、治療失敗の主な原因である。したがって、腫瘍成長及び転移を阻害できる抗腫瘍薬を見出すことは、現在の注目の的である。
【０００３】
最近の研究によれば、多糖は重要な構造的構成及びエネルギー源の１つのクラスであるだけでなく、重要な生物学的機能も有する。多糖は、細胞間認識及びシグナル伝達に関与し、生物において、核酸に加えて重要なシグナル分子のクラスであるとみなされている。また、多糖は、多くの場合、細胞表面上でのシグナル認識、抗体抗原反応、細胞シグナル変換及び検知の主要因でもあるため、生物学的活性を有する活性多糖の研究にますます関心が寄せられている。しかしながら、多糖の複雑な構造並びに分離及び構造的特徴付けにおける困難により、現時点では、カワラタケ（coriolus versicolor）多糖、タマチョレイタケ属（polyporus）多糖、マッシュルーム多糖、シゾフィラン多糖、マツホド（Poriacocos）多糖等のみが臨床目的のために使用されている。当技術分野において、生物学的活性を有するさらなる種類の多糖を取得する必要がある。
【発明の概要】
【発明が解決しようとする課題】
【０００４】
腫瘍の重大な発生率の実践上の問題及び治療における困難は言うまでもなく、炭水化物の構造分解能及び調製における困難、並びに天然糖の低活性の問題にもかかわらず、本発明者は、広範に及ぶ集中的な研究に基づいて本発明を完了した。本発明者は、ポリグルロン酸をスルホン化剤と、適切な温度下で適切な持続時間にわたって反応させてオリゴグルロン酸の硫酸化誘導体を得、次いで、還元のために還元剤を添加し、それにより、硫酸ポリグロン酸（以後、「ＰＧＡＳ」と称する）を取得することにより、本発明を完了した。
【０００５】
したがって、本発明の１つの目的は、硫酸ポリグロン酸又は薬学的に許容されるその塩を提供することである。本発明の硫酸ポリグロン酸又は薬学的に許容されるその塩は、腫瘍成長及び転移に対して有意な阻害効果を有し、作用機序は、ヘパラナーゼ活性、Ｃ−Ｍｅｔ酵素活性、血管新生、微小管重合、アクチン脱重合因子等を阻害するその能力に関連する。好ましくは、本発明は、Ｌ−グルロン酸単位が１，４−グリコシド結合によって互いに結合しており、ヒドロキシル基が還元末端の１位に位置しており、糖環がそのＣ−２位において完全に硫酸化されている、硫酸ポリグロン酸又は薬学的に許容されるその塩を提供する。
【０００６】
本発明の別の目的は、硫酸ポリグロン酸又は薬学的に許容されるその塩を調製するための方法を提供することである。本発明のさらなる目的は、腫瘍成長及び／又は腫瘍転移阻害剤の調製における、硫酸ポリグロン酸又は薬学的に許容されるその塩の使用を提供することである。
【０００７】
本発明のさらに別の目的は、治療有効量の、本発明による硫酸ポリグロン酸又は薬学的に許容されるその塩を含む、医薬組成物を提供することである。
【０００８】
本発明のまた別の目的は、腫瘍を治療するための方法を提供することである。
【課題を解決するための手段】
【０００９】
本発明の一態様によれば、下記の一般式（Ｉ）：
【００１０】
【化１】
2019090056.tif 000002
【００１１】
の構造を有し、一般式（Ｉ）において、ｎは、０又は１〜２３の整数を表し、Ｒ１はＳＯ３Ｈであり、Ｒ２は、互いに独立に、Ｈ又はＳＯ３Ｈであり、但し、硫酸ポリグロン酸の硫黄含有量として計算される硫酸化度は、５〜２０重量％である、硫酸ポリグロン酸又は薬学的に許容されるその塩が提供される。
【００１２】
本発明の一般式（Ｉ）によって表される硫酸ポリグロン酸又は薬学的に許容されるその塩において、ポリグロン酸は１，４−グリコシド結合によってＬ−グルロン酸から形成され、ヒドロキシル基は還元末端の１位に位置しており、糖環はそのＣ−２位において完全に硫酸化されており、そのＣ−３位で部分的に硫酸化されている。
【００１３】
上記の一般式（Ｉ）において、ｎは、０又は１〜２３の整数、例えば、０、１、２、３、４、５、６、７、８、９、１０、１１、１２、１３、１４、１５、１６、１７、１８、１９、２０、２１、２２若しくは２３であり；好ましくは、ｎは、２〜１３の整数であり、より好ましくは、ｎは、３、４、５、６、７、８、９又は１０であり、最も好ましくは、ｎは、４、５、６、７又は８である。好ましくは、硫黄含有量は、７〜１５重量％、より好ましくは９〜１３重量％である。本発明において、四糖〜十二糖（dodecasaccharide）（特に六糖〜十糖）を使用して、及び／又は硫黄含有量が７〜１５重量％（特に９〜１３重量％）である場合に、より良好な生物学的効果が取得され、これはおそらく、これらの多糖が体細胞によってより簡単に認識及び許容されるからである。
【００１４】
本発明において、硫酸ポリグロン酸の薬学的に許容される塩は、例えば、これらの化合物のナトリウム塩、カリウム塩、カルシウム塩又はマグネシウム塩であってよく、ナトリウム塩が好ましい。薬学的に許容される塩は、従来の方法によって調製され得る。
【００１５】
本発明の別の態様によれば、硫酸ポリグロン酸又は薬学的に許容されるその塩を調製するための方法であって、
下記の構造式（II）において示される通りのポリグルロン酸を、スルホン化試薬と反応させ、続いて還元剤を介する還元により、一般式（Ｉ）において示される通りの硫酸ポリグロン酸を得るステップ
を含み、
【００１６】
【化２】
2019090056.tif 000003
【００１７】
構造式（II）において、ｍは、０又は１〜４８の整数を表し、
【００１８】
【化３】
2019090056.tif 000004
【００１９】
一般式（Ｉ）において、ｎ、Ｒ１及びＲ２は、上記で定義された通りである、方法が提供される。
【００２０】
本発明において、好ましくは、スルホン化試薬はクロロスルホン酸であってよく；スルホン化温度は、好ましくは４５〜８５℃、より好ましくは６０〜７５℃であってよく、反応時間は、１．５〜４．５時間、より好ましくは２〜３．５時間、最も好ましくは３時間であってよく；還元剤は、好ましくは、水素化ホウ素ナトリウム、シアノ水素化ホウ素ナトリウム、ニッケル水素化物試薬、ハロゲンベースの還元剤等である。
【００２１】
本発明のさらなる態様は、腫瘍成長及び／又は腫瘍転移阻害剤の調製における、硫酸ポリグロン酸又は薬学的に許容されるその塩の使用を提供する。
【００２２】
本発明において、用語「腫瘍」は、悪性物を包含するあらゆる形態の腫瘍を指し、例えば、肝臓がん、胃がん、結腸直腸がん、肺がん、乳がん、膵臓がん、腎臓がん、膀胱がん、前立腺がん、黒色腫、脳腫瘍等であってよい。
【００２３】
本発明において、好ましくは、硫酸ポリグロン酸又は薬学的に許容されるその塩は、腫瘍成長阻害剤、腫瘍転移阻害剤、血管新生阻害剤、ヘパラナーゼ阻害剤、Ｃ−Ｍｅｔ酵素阻害剤、微小管重合阻害剤、アクチン脱重合因子活性阻害剤及び／又はアクチン凝集阻害剤として使用され得る。
【００２４】
本発明のさらに別の態様によれば、治療有効量の、本発明の硫酸ポリグロン酸又は薬学的に許容されるその塩を含む、医薬組成物が提供される。好ましくは、医薬組成物中の活性成分は、本発明の１又は２以上の硫酸ポリグロン酸又は薬学的に許容されるその塩からなる。別の実施において、本発明の硫酸ポリグロン酸又は薬学的に許容されるその塩に加えて、本発明の医薬組成物は、１又は２以上の抗腫瘍薬又は抗腫瘍アジュバント薬を、活性成分として含み得る。
【００２５】
本発明において、好ましくは、医薬組成物は、薬学的に許容される担体をさらに含み得る。薬学的に許容される担体は、当技術分野において一般に使用されるものであってよい。
【００２６】
本発明において、好ましくは、医薬組成物は、腫瘍成長阻害剤として使用され得る。
【００２７】
本発明において、好ましくは、医薬組成物は、腫瘍転移阻害剤として使用され得る。
【００２８】
加えて、好ましくは、医薬組成物は、血管新生阻害剤、ヘパラナーゼ阻害剤、Ｃ−Ｍｅｔ酵素阻害剤、微小管重合阻害剤、アクチン脱重合因子活性阻害剤及び／又はアクチン凝集阻害剤として使用され得る。
【００２９】
本発明のさらに別の態様によれば、治療有効量の、本発明の硫酸ポリグロン酸又は薬学的に許容されるその塩を、治療を必要とする対象に投与するステップを含む、腫瘍を治療するための方法が提供される。
【００３０】
本発明において、用語「有効量」は、所望の結果を実現するために必要な投薬量で必要な期間にわたって有効な量を指し得る。この有効量は、疾患の種類、治療されている場合の疾患の症状、投与されている具体的な標的臓器の構造、対象の大きさ、又は疾患若しくは状態の重症度等の要因に従って変更され得る。特定の化合物の有効量は、当業者によって必要以上の実験をすることなく実験的に決定することができる。
【００３１】
上記を考慮して、腫瘍を治療するために有効な薬物の欠如という現在の問題を解決することを目的として、腫瘍及び腫瘍転移を治療するための薬剤の調製において、本発明の硫酸ポリグロン酸又は薬学的に許容されるその塩を使用することは、非常に重要である。
【図面の簡単な説明】
【００３２】
【図１】本発明の硫酸ポリグロン酸のそれぞれの成分についてカラム分離結果を示す図である。
【図２】ヒト乳がんＭＤＡ−ＭＢ−４３５同所異種移植片の成長に対する本発明の硫酸ポリグロン酸の阻害効果を示す図である。
【図３】ヒト乳がんＭＤＡ−ＭＢ−４３５同所異種移植片の肺転移に対する本発明の硫酸ポリグロン酸の阻害効果を示す図である。パネルＡは、ＨＥ染色による肺における転移の典型的な写真（倍率：２００倍）を示し；パネルＢは、ＭＤＡ−ＭＢ−４３５同所異種移植片の肺転移に対するＰＧＡＳの阻害効果の定量的表示である。図中のデータは、１つの典型的な実験における平均±ＳＤとして表現されている。＊Ｐは０．０５未満、＊＊Ｐは０．０１未満、処置群対対照群。
【図４】ヒト乳がんＭＤＡ−ＭＢ−４３５同所異種移植片に対する本発明の硫酸ポリグロン酸の血管新生阻害効果を示す図である。パネルＡは、ポジティブ染色を示す矢印を加えたＣＤ３１染色の典型的な写真（倍率：２００倍）（パネルＡにおいて：「Ｃ」は対照群であり、「Ｐ」はＰＧＡＳ処置群である）を示し；パネルＢは、ヒト乳がんＭＤＡ−ＭＢ−４３５同所異種移植片に対するＰＧＡＳの血管新生阻害効果の定量的表示である。図中のデータは、１つの実験における平均±ＳＤとして表現されている。＊＊Ｐは０．０１未満、処置群対対照群。
【図５】マウス黒色腫Ｂ１６Ｆ１０細胞の実験的肺転移に対する本発明の硫酸ポリグロン酸の阻害効果を示す図である。パネルＡは、肺における転移の典型的な写真を示し；パネルＢは、Ｂ１６Ｆ１０の実験的肺転移に対するＰＧＡＳの阻害効果の定量的表示である。図中のデータは、１つの典型的な実験における平均±ＳＤとして表現されている。同様の結果が少なくとも２つの独立した実験から取得され得る。＊Ｐは０．０５未満、＊＊Ｐは０．０１未満、処置群対対照群。
【図６】ニワトリ胚絨毛尿膜（ＣＡＭ，chicken embryo chorioallantoic membrane）の新血管形成に対する本発明の硫酸ポリグロン酸の阻害効果を示す図である。パネルＡは溶解剤（dissolvant）対照群を示し；パネルＢは２００μｇ／卵ＰＧＡＳ群を示し；パネルＣは４００μｇ／卵ＰＧＡＳ群を示し；パネルＤは８００μｇ／卵ＰＧＡＳ群を示す（倍率：４０倍）。
【図７】ヘパラナーゼ活性に対する本発明の硫酸ポリグロン酸の阻害効果を示す図である。パネルＡは、本発明の硫酸ポリグロン酸のヘパラナーゼ活性の阻害を指示するＨＰＬＣスペクトルを示し；パネルＢは、上記のパネルＡスペクトルの結果から計算された、本発明の硫酸ポリグロン酸のヘパラナーゼ活性の阻害率を示す。
【図８】無細胞系におけるチューブリン重合に対する本発明の硫酸ポリグロン酸の阻害効果を示す図である。パネルＡは時間依存性を示し、パネルＢは用量依存性を示す。
【図９】無細胞系におけるアクチン脱重合に対する本発明の硫酸ポリグロン酸の阻害効果を示す図である。
【図１０】アクチン脱重合因子のアクチン脱重合／切断活性に対する本発明の硫酸ポリグロン酸の阻害効果を示す図である。＃＃Ｐは０．０１未満、コフィリン群対対照群；＊＊Ｐは０．０１未満、医薬群対コフィリン群。
【図１１】本発明の硫酸ポリグロン酸のそれぞれの成分の腫瘍転移阻害の活性を示す図である。
【発明を実施するための形態】
【００３３】
本発明を実施形態によって以下でさらに詳細に記述する。しかしながら、下記の実施形態は、例証のみを目的として提供されるものであり、本発明の範囲はそれらに限定されない。
【００３４】
材料及び試薬
デキストランに対して１００００Ｄａの重量平均分子量を有するポリグルロン酸を、青島海洋大学（OceanUniversity of China）のLan Tai Pharmaceuticals社から購入した。ホルムアミド、クロロスルホン酸等、ＡＲグレードは、Sinopharm Group Chemical Reagent社により提供された。デキストラン分子量標準は、Fluka社から購入した。ドキソルビシン注射剤（アドリアマイシン（ＡＤＭ，Adriamycin））は、Zhejiang Haimen Pharmaceutical Factory社によって製造されたZhejiang health medicine accurate (1996) No. 135501であり、含有量は１０ｍｇ／バイアルであり、溶媒は生理食塩水であり、各投与前に生理食塩水で所望の濃度に希釈して調剤した。TSK gel2000SWXL、TSK gel G3000SWXLカラムは日本のTOSOH社から入手可能であり、Bio-Gel-P6、Bio-Gel-P10は、Bio-Rad社製であり、Sephadex G-10、Sepharose CL-4Bは、Pharmacia社製であり、チューブリン、アクチンはSIGMA社から購入した。
【００３５】
機器
NICOLET社製NEXUS-470インテリジェント赤外分光計；Bruker社製DPX-300 NMR分光計；Beijing Longzhida社製ゲル浸透クロマトグラフィー（ＧＰＣ，Gel Permeation Chromatography）；米国Unocal社製UV-2102紫外線及び可視分光光度計。
【００３６】
実験動物
ヌードマウス、ＢＡＬＢ／ｃＡ、１８〜２２ｇは、中国科学院上海薬物研究所（Shanghai Instituteof Materia Medica, Chinese Academy of Sciences）によって提供され、
Ｃ５７ＢＬ／６マウス、６〜７週齢は、中国科学院上海実験動物センター（Shanghai Animal Center, Chinese Academy of Sciences）によって提供され、
新鮮な卵は、Shanghai Shenbao Chicken Farmから購入した。
［実施例］
【実施例１】
【００３７】
硫酸ポリグロン酸（ＰＧＡＳ，polygulonic acid sulfate）の調製
３ｍｌのクロロスルホン酸を、温度を５℃未満に維持しながら、１０ｍｌのホルムアミドに滴下添加した。反応の２０分後、１ｇのポリグルロン酸を添加し、６５〜７０℃の温度で３時間反応させた。２倍量の８０％エタノール溶液を反応生成物に添加し、繰り返しかき混ぜて、粘性物質を得た。追加の８０％エタノール溶液を添加し、上記のステップを２回繰り返した。溶液をデカントし、水を添加して、粘性物質を得た。粘性物質を１％Ｎａ２ＣＯ３溶液で７．０のｐＨに調整し、２倍量の９５％エタノール溶液によるアルコール沈殿に供した。得られた沈殿物を５０〜６０℃の温度で乾燥させて、ポリグルロン酸の硫酸化誘導体を得た。該誘導体を４ｍｇ／ｍｌの酢酸ナトリウム溶液（ｐＨ７．０）に配合し、該溶液に、水素化ホウ素ナトリウムを５０ｍＭまで添加した。反応は、３０〜４０℃の温度で３０分間にわたって行い、氷浴で終了させた。ｐＨを０．１Ｍ酢酸で調整し、未反応の水素化ホウ素ナトリウムを放出し、ｐＨを中性に調整した。得られた溶液を繰り返し沈殿させ、エタノールで洗浄し、乾燥させて、硫酸ポリグロン酸（ＰＧＡＳ）の粗製物を得た。ＰＧＡＳ粗製物を１０％溶液に配合し、９５％エタノール溶液による沈殿に供した。得られた沈殿物を無水エタノールで洗浄し、乾燥させ、５％溶液に配合した。溶液を３μｍの膜で濾過して不純物を除去し、移動相として水を用い、画分収集を使用するSephadex G-10カラム（１５×１００ｃｍ）中で脱塩した。溶出液を硫酸−カルバゾール法で検出し、糖含有成分を合わせ、減圧で濃縮し、脱塩し、フリーズドライして、精製硫酸ポリグロン酸を得た。
【００３８】
上記で調製された硫酸ポリグロン酸の硫黄含有量を、酸素フラスコ燃焼法を用いて決定した。約２５ｍｇの試料を採取し、正確に秤量し、酸素フラスコ燃焼法後、有機物の破壊に供した。１０００ｍｌの燃焼フラスコを使用し、０．１ｍｌの濃過酸化水素溶液及び１０ｍｌの水を吸収液として使用した。生成された煙が完全に吸収されたら、得られた物質を氷浴に１５分間入れ、２分間加熱して穏やかに沸騰させ、冷却し、５０ｍｌのエタノール−酢酸アンモニウム緩衝液（ｐＨ３．７）とともに、３０ｍｌのエタノール及び０．３ｍｌの０．１％アリザリンレッド溶液を指示薬として添加し、過塩素酸バリウム滴定溶液（０．０５ｍｏｌ／Ｌ）で薄橙赤色に滴定した。１ｍｌの過塩素酸バリウム滴定溶液（０．０５ｍｏｌ／Ｌ）は、１．６０３ｍｇのＳと同等である。試験結果は、乾燥した生成物に基づき、硫酸ポリグロン酸の硫黄含有量が１１．２重量％であることを示す。
【実施例２】
【００３９】
硫酸ポリグロン酸（ＰＧＡＳ）の構造的特徴付け
構造的特徴付けは、上記の硫酸ポリグロン酸の調製によって生じた画分中の糖類成分に対して行った。
【００４０】
１．ＵＶ吸収スペクトル
上記の硫酸ポリグロン酸を好適な濃度に希釈し、蒸留水をブランクとして用いて、UV-2102紫外線−可視分光光度計により１９０ｎｍ〜４００ｎｍでスキャンした。画分は紫外領域内に特異的な吸収ピークを有さないことが分かり、構造内に共役した二重結合がないことを指示している。しかしながら、１９０〜２００ｎｍにおいては非特異的吸収がある。
【００４１】
２．赤外分光法
０．５ｍｇのＰＧＡＳを押圧してＫＢｒペレットとし、NEXUS-470インテリジェント赤外分光計を用いて赤外分光法を実施した。ヒドロキシル基の対称伸縮振動は３２１９．５３ｃｍ−１で存在し、カルボキシレート中のカルボニル基の対称伸縮振動は１６１２．５８ｃｍ−１で存在し、ヒドロキシル基のはさみ振動は１４１４．３３ｃｍ−１で存在し、カルボキシル基中の炭素−酸素結合の対称伸縮振動は１１０３．９７ｃｍ−１で存在し、Ｃ−Ｏ−Ｓの伸縮振動ピークは８２３．３０ｃｍ−１で存在し、硫酸化後の硫酸化物中のＳ＝Ｏの伸縮振動ピークは１２７４．６２ｃｍ−１で存在することが分かり、これは、化合物が、カルボキシル、ヒドロキシル及びスルホン基（sulfoic groups）を含有する主鎖構造を有することを指示している。
【００４２】
３．ＰＧＡＳのＮＭＲ分光法
ＰＧＡＳのＮＭＲ分光法（１３Ｃ−ＮＭＲ）は、Bruker社製Auance DPX-300 NMR分光計を用いて決定した。スペクトルにおいて、非スルホン化Ｃ−２シグナルピークは実質的に見られないのに対し、非スルホン化Ｃ−３シグナルピークは依然として存在していることが分かった。Ｃ−２位におけるヒドロキシル基は比較的完全に硫酸化されており、Ｃ−３位におけるヒドロキシル基は部分的にしか硫酸化されていないことが指示されている。
【００４３】
４．ＰＧＡＳの分子量及び分子量分布
ＰＧＡＳの分子量は、ＧＰＣ法を用いて決定した。検出は、屈折率検出器を使用し、分子量標準としてFluka社製デキストラン、クロマトグラフィーカラムとしてTSK gel2000SWXLカラム、並びに移動相として０．２％アジ化ナトリウム及び２．８４％Ｎａ２ＳＯ４を含有する水溶液を用い、０．５ｍｌ／分の流速、３５℃の温度及び２５μｌの注入体積で実施した。デキストランに対するＰＧＡＳの重量平均分子量は２５１３Ｄａであり、複数バッチの試料の決定結果は、デキストランに対するその重量平均分子量が１５００〜８５００Ｄａであることを示すことが分かった。
【００４４】
まとめると、これらの結果は、上記の画分が、ポリグルロン酸の還元末端の１位においてヒドロキシル基を有し、Ｃ−２位において完全に硫酸化されており、Ｃ−３位において部分的に硫酸化されており、下記の化学式（Ｉ）：
【００４５】
【化４】
2019090056.tif 000005
【００４６】
（一般式（Ｉ）において、ｎ、Ｒ１及びＲ２は上記で定義された通りである）を有する硫酸ポリグロン酸であることを裏付けるものである。
【実施例３】
【００４７】
ＰＧＡＳの成分の分離及び調製
上記で調製されたＰＧＡＳの試料を採取し、５％溶液に配合し、３μｍの膜で濾過して不純物を除去し、移動相として０．２ｍｏｌ／ＬのＮＨ４ＨＣＯ３を用いてBio-Gel-P6ゲルカラム（１．６×１８０ｃｍ）上で分離し、画分を収集した。硫酸−カルバゾール法を用いて溶出液を検出し、糖含有成分を収集し、空隙体積成分をBio-Gel-P10ゲルカラム（１．６×１８０ｃｍ）上でさらに分離した。得られた生成物をフリーズドライして、ＰＧＡＳの一連の糖類成分を得、これを質量分光分析によって同定した。結果は、ＰＧＡＳの、二糖、三糖、四糖、五糖、六糖、七糖、八糖、九糖、十糖、十一糖及びそれより高次の糖成分の産生を裏付けるものである。
【００４８】
以下の実験において、実施例４〜１１では実施例１において調製された生成物を使用するが、実施例１２及び１３では実施例３において調製された生成物を使用する。
【実施例４】
【００４９】
硫酸ポリグロン酸（ＰＧＡＳ）の腫瘍成長阻害効能の評価
指数増殖期における２．５×１０７細胞／ｍｌの濃度のヒト乳がんＭＤＡ−ＭＢ−４３５細胞（American Type Culture Collection社製、ＡＴＣＣ、ロックビル、ＭＤ、ＵＳＡ）を、４〜５週齢の雌ヌードマウス（ＢＡＬＢ／ｃＡ、中国科学院上海薬物研究所によって提供されたもの）の左から二番目の乳房脂肪体に接種した。腫瘍が１００〜２００ｍｍ３の大きさに成長したら、動物を、腫瘍体積に従って、陰性対照群、ドキソルビシン注射剤（アドリアマイシン、ＡＤＭ）処置群（陽性対照群）、並びに５ｍｇ／ｋｇ及び２０ｍｇ／ｋｇのＰＧＡＳ処置群（ＰＧＡＳ実験群）に２０匹／群で均等に分割した。ＰＧＡＳ実験群及び陽性対照群には、静脈内注射によって週に１回、連続７週間にわたって投薬し、陰性対照群には、同量の生理食塩水を投薬した。実験において、ノギスを使用して腫瘍の直径を週に２回測定し、腫瘍体積（Ｖ）を以下の式：
V = 1/2 × a × b2
［式中、ａ及びｂは、腫瘍の長さ及び幅をそれぞれ表す］に準じて計算した。相対腫瘍体積（ＲＴＶ，relative tumor volume）は、測定結果に基づき、算定式：RTVt= Vt/V0［式中、Ｖ０は、動物を異なる投薬に分割した際（すなわちｄ０）の測定腫瘍体積であり、Ｖｔは測定日における腫瘍体積である］を使用して計算した。抗腫瘍活性の薬力学的評価指標は相対腫瘍増殖率Ｔ／Ｃ（％）であり、その算定式は次の通りである：
【００５０】
【数１】
2019090056.tif 000006
【００５１】
ＴＲＴＶ：処置群のＲＴＶ；ＣＲＴＶ：陰性対照群のＲＴＶ。効能評価：６０％を超えるＴ／Ｃ％は無効を意味し；Ｐが０．０５未満の統計的有意性である６０％以下のＴ／Ｃ％は有効を意味する。
【００５２】
動物を投薬中止１週間後に屠殺した。肺組織を、ブアン液（飽和ピクリン酸：ホルムアルデヒド：氷酢酸＝７５：２５：５）中で２４時間以上にわたって固定し、肺転移が白色結節として現れるまで無水エタノールに浸漬すると、肺組織が正常な色を取り戻した。片肺当たりの肺転移結節の数を観察し、解剖顕微鏡下で記録した。同所腫瘍組織の一部を液体窒素に入れ、全ＲＮＡ及びタンパク質の抽出のために冷凍保存した。肺及び同所腫瘍組織の一部を１０％ホルマリン中で固定し、腫瘍組織における血管新生をＨＥ染色及び免疫組織化学によって決定した。
【００５３】
腫瘍接種後１５〜２０日目、ヒト乳がんＭＤＡ−ＭＢ−４３５異種移植片は１００〜２００ｍｍ３前後に成長しており、接種成功は１００％であり；接種後８〜９週目、多数の転移が担腫瘍ヌードマウスの肺組織において現れており、転移率は１００％であることが分かった。この時点で動物を屠殺し、抗腫瘍効果評価に供した。ＰＧＡＳ処置は、静脈内注射により週に１回、連続７週間にわたって実施した。５ｍｇ／ｋｇのＰＧＡＳ処置群は、同所腫瘍の成長を阻害する能力を示すが、腫瘍阻害効果は有意でなく、Ｔ／Ｃ値は６７．３％であり；２０ｍｇ／ｋｇのＰＧＡＳ処置群は、ヌードマウスにおいてヒト乳がんＭＤＡ−ＭＢ−４３５同所異種移植片の成長を有意に阻害する能力を示し、Ｔ／Ｃ値は最大３７．６％である。陽性対照薬ＡＤＭは、ヒト乳がんＭＤＡ−ＭＢ−４３５同所腫瘍の成長を有意に阻害する能力を示し、５ｍｇ／ｋｇのＡＤＭ処置群は、２１．８％のＴ／Ｃ値を有する。これは、ＰＧＡＳが、ヒト乳がんＭＤＡ−ＭＢ−４３５同所異種移植片の成長を有意に阻害できることを示す（図２）。静脈内注射による週に１回連続７週間にわたる５ｍｇ／ｋｇ及び２０ｍｇ／ｋｇの投薬レジメン下、ヒト乳がんＭＤＡ−ＭＢ−４３５同所異種移植片の肺転移に対するＰＧＡＳの阻害率は、それぞれ６０．２％及び８８．４％である。肺転移に対するドキソルビシン（５ｍｇ／ｋｇ）の阻害率は、８９．８％である。これは、ＰＧＡＳが、ヒト乳がんＭＤＡ−ＭＢ−４３５同所異種移植片の肺転移を有意に阻害できることを示す（図３）。さらに、インビボでの血管新生に対するＰＧＡＳの効果を、免疫組織化学的染色によって評価した。内皮細胞特異的マーカーＣＤ３１の検出は、ヒト乳がんＭＤＡ−ＭＢ−４３５同所異種移植片において多数の小血管が生成されることを示す。５ｍｇ／ｋｇのＰＧＡＳ処置群では、対照群と比較して異種移植片における小血管の数に有意な変化がなく、これに対し、２０ｍｇ／ｋｇのＰＧＡＳ処置群においては、対照群と比較して異種移植片における小血管の数に有意な減少があり、阻害率は４２．１％である。これは、ＰＧＡＳが、ヒト乳がんＭＤＡ−ＭＢ−４３５同所異種移植片における血管新生を有意に阻害できることを示す（図４）。
【実施例５】
【００５４】
硫酸ポリグロン酸（ＰＧＡＳ）の腫瘍転移阻害効能の評価
６〜７週齢Ｃ５７ＢＬ／６マウス（中国科学院上海実験動物センターによって提供されたもの）を、生理食塩水陰性対照群、並びに５ｍｇ／ｋｇのＰＧＡＳ処置群及び２０ｍｇ／ｋｇのＰＧＡＳ処置群に、１０匹／群で無作為に分割した。指数増殖期における２．５×１０６細胞／ｍｌの濃度のマウス黒色腫Ｂ１６Ｆ１０細胞（American Type Culture Collection社製、ＡＴＣＣ、ロックビル、ＭＤ、ＵＳＡ）を、マウスの尾静脈に接種した。細胞接種の２０分前、ＰＧＡＳ群には腹腔内（ｉ．ｐ．，intraperitoneal）注射を１回投薬し、陰性対照群には同量の生理食塩水を投薬した。１１日後、肺をマウスから取り出し、肺組織を、ブアン液（飽和ピクリン酸：ホルムアルデヒド：氷酢酸＝７５：２５：５）中で２４時間以上にわたって固定した。片肺当たりの肺転移結節の数を観察し、解剖顕微鏡下で記録した。代替として、肺組織が正常な色を取り戻すまで２日間にわたって肺組織をさらに無水エタノールに浸漬した後、そのような観察を実施した。接種の１１日後、マウスの肺組織において多数の転移が現れ、転移率は１００％であり、単回ｉ．ｐ．注射の投薬レジメンにおいて、５ｍｇ／ｋｇのＰＧＡＳ処置群は、有意な腫瘍転移阻害を示し、阻害率は最大４０．８１％であり、２０ｍｇ／ｋｇのＰＧＡＳ処置群は、黒色腫Ｂ１６Ｆ１０細胞の肺転移に対してより有意な阻害を示し、阻害率は最大８２．２０％であることが分かった。結果は、ＰＧＡＳが、黒色腫Ｂ１６Ｆ１０細胞の肺転移を有意に阻害できることを示す（図５）。
【００５５】
本発明者は、ＰＧＡＳの作用機序をさらに研究した。
【実施例６】
【００５６】
ＰＧＡＳによる血管新生阻害の試験
新鮮な卵（Shanghai Shenbao Chicken Farmから購入したもの）を、３９℃及び５０％湿度（ガス室を上にして）のインキュベーターRoll-X base（Lyon Electric社、ＣＡ、ＵＳＡ）に入れた。７日間にわたる連続インキュベーション後、卵に照明を当てて、ニワトリ胚が生存しているか、並びに絨毛尿膜の位置が決定及びマーク付けされたかを同定した。卵の気嚢の端部に１つの小さな穴を作製し、ニワトリ胚を水平方向に置いた（絨毛尿膜を上にして）。絨毛尿膜が崩壊して卵殻から分離するように、気嚢をピペットゴム球で穏やかに吸引し、一定期間にわたって静置した。次いで、１ｃｍ２の窓開き部をニワトリ胚上に作製し、窓開きを研磨し、はさみで切り取り、卵殻の塵埃を吹き払い、窓開きの卵殻を剥がし、絨毛尿膜を明確に視認できるようにした。０．２５×０．２５×０．２５（長さ×幅×高さ）ｃｍ３のサイズを有するゼラチンスポンジを、２００、４００、８００μｇ／卵の最終濃度の１０μｌのＰＧＡＳ及びビヒクル対照で処理し、次いで、絨毛尿膜内の大血管のない部位に穏やかに置いた。小窓を滅菌透明テープで密封し、卵をさらに４８時間インキュベートした。観察のためにテープをはがし、写真を撮影し（倍率：４０倍）、ニワトリ胚絨毛尿膜の血管新生に対するＰＧＡＳの阻害効果を評価した。ＰＧＡＳを含有するスポンジに隣接する絨毛尿膜において、血管密度は有意に低減しており、濃度依存性阻害の傾向を呈したことが分かった（図６）。これは、ＰＧＡＳが血管新生阻害効果を有することを示す。
【実施例７】
【００５７】
ＰＧＡＳによるヘパラナーゼ活性阻害の試験
ヘパラナーゼの無血清昆虫発現系及び親和性カラム精製系を、ＰＣＲ増幅及び遺伝子組換えによってヒト胎盤から取得されたヒトヘパラナーゼのｃＤＮＡを使用して確立し、９５％以上の純度を有する高活性ヘパラナーゼを取得した。１５０μｌの反応緩衝液（５０ｍＭ酢酸ナトリウム、ｐＨ４．２）に、０．５μｇのフルオレセインイソチオシアネート標識ヘパラン硫酸（ＦＩＴＣ−ＨＳ，fluorescein isothiocyanate-labeled heparan sulfate）及び２５ｎｇ／ｍｌの最終濃度のヘパラナーゼ、並びに種々の濃度のＰＧＡＳも添加し、３７℃で３時間反応させた。１００℃で５分後、遠心分離を１００００ｒｐｍで２０分間にわたって実施して、不溶性材料をペレット化した。上清を０．４５μｍのフィルター膜で濾過し、次いで、緩衝液５０ｍＭのTris／１５０ｍＭのＮａＣｌ、ｐＨ７．５、及び０．８ｍｌ／分の流速を使用して、２０μｌのローディングでTSK gel G3000SWXLカラムに注入した。ＦＩＴＣ−ＨＳ生成物の蛍光強度を蛍光検出器（励起：４８５ｎｍ、発光：５３８ｎｍ）で検出した。酵素の相対活性を、インタクトなＦＩＴＣ−ＨＳピークの前方半分の面積の減少によって評価して、ヘパラナーゼ活性に対するＰＧＡＳの効果を決定した。ＰＧＡＳは、ヘパラナーゼ活性を用量依存様式で阻害し、ＩＣ５０は６．５５ｎｇ／ｍｌであり、用量が４０ｎｇ／ｍｌである場合、活性は、陽性対照ヘパリンのものより良好であることが分かった（図７）。
【実施例８】
【００５８】
ＰＧＡＳによるＣ−Ｍｅｔ酵素活性阻害の試験
酵素反応基質ポリ(Ｇｌｕ、Ｔｙｒ)をマイクロタイタープレートに被覆し、ＡＴＰ溶液及び硫酸ポリグロン酸及びｃ−Ｍｅｔ酵素溶液を適切な濃度で添加し、反応（reaction）のために３７℃で１時間シェーカー上に置いた。次いで、Ｔ−ＰＢＳ希釈ＰＹ９９抗体含有５ｍｇ／ｍｌのＢＳＡを添加し、シェーカー上、３７℃で０．５時間反応させた。さらに、西洋ワサビペルオキシダーゼ標識ヤギ抗マウスＩｇＧを添加し、シェーカー上、３７℃でさらに０．５時間反応させた。最後に、２ｍｇ／ｍｌのＯＰＤ展開溶液を添加し、２５℃、暗所で１〜１０分間反応させ、２Ｍ  Ｈ２ＳＯ４を添加して反応を終了させた。４９０ｎｍにおける吸光度をマイクロプレートリーダーによって測定し、酵素活性阻害率を計算した：
【００５９】
【数２】
2019090056.tif 000007
【００６０】
ｃ−Ｍｅｔに対する１０μｇ／ｍｌの濃度の硫酸ポリグロン酸の酵素活性阻害率は７１．１％であることが分かり、硫酸ポリグロン酸が、ｃ−Ｍｅｔ酵素活性を阻害する効果を有することを指示している。
【実施例９】
【００６１】
ＰＧＡＳによるチューブリン重合阻害の試験
１０μｌのＰＧＡＳを種々の濃度で９６ウェルプレートに添加し、３７℃で１０分間予熱した。チューブリン凍結乾燥粉末を、ＰＥＭ緩衝液（１００ｍＭのＰＩＰＥＳ、１ｍＭのＭｇＣｌ２、１ｍＭのＥＧＴＡ）＋１ｍＭのＧＴＰ、５％グリセリン中で、１２μＭの濃度に希釈した。９０μｌのこの溶液を９６ウェルプレートに添加し、マイクロプレートリーダーを起動し、温度を３７℃に設定し、検出波長を３４０ｎｍに設定した。これを徹底的に混合し、１分当たり１回、連続３０分間にわたって読み取った。結果は、ＰＧＡＳが、無細胞系においてチューブリン重合を有意に阻害でき、ＰＧＡＳの濃度が２．５μＭから４０μＭに増大した場合、阻害率は１８．２６％から７３．４４％に増大し、これは用量依存であり、ＩＣ５０は８．５８μＭであることを示す（図８）。
【実施例１０】
【００６２】
ＰＧＡＳによるアクチン脱重合阻害
ピレニル標識アクチンを凝集緩衝液（１００ｍＭのＴｒｉｓ−ＨＣｌ、２０ｍＭのＭｇＣｌ２、５００ｍＭのＫＣｌ、２ｍＭのＣａＣｌ２、ｐＨ７．５）に添加し、３７℃で３０分間インキュベートして線維に凝集させた。次いで、アクチン脱重合緩衝液（１０ｍＭのＴｒｉｓ−ＨＣｌ、０．２ｍＭのＣａＣｌ２、０．２ｍＭのＡＴＰ、ｐＨ８．０）及び異なる濃度のＰＧＡＳを希釈のために添加して、脱重合させた。蛍光マイクロプレートリーダーを、３６０ｎｍの発光波長及び４１０ｎｍの吸収波長並びに３７℃の温度に設定した。これを徹底的に混合し、１分当たり１回、連続３０分間にわたって読み取った。結果は、ＰＧＡＳが、無細胞系においてアクチン脱重合プロセスを有意に阻害でき、用量依存性を呈することを示す（ＩＣ５０は１０．６μＭである）（図９）。
【実施例１１】
【００６３】
コフィリンのアクチン脱重合／切断活性に対するＰＧＡＳの阻害
硫酸ポリグロン酸をSepharose CL-4Bと連結して、硫酸ポリグロン酸の親和性クロマトグラフィーカラムを調製した。このクロマトグラフィーカラムを使用して、肺がん細胞株Ａ５４９における硫酸ポリグロン酸の結合タンパク質を抽出し、分離した。質量分析同定により、コフィリンは、硫酸ポリグロン酸と強く結合するタンパク質の１つであることが分かった。さらなる研究は、硫酸ポリグロン酸が、コフィリンのアクチン脱重合／切断活性を有意に阻害できることを示す（図１０）。これは、硫酸ポリグロン酸が、コフィリンと結合してコフィリンのアクチン脱重合／切断活性を阻害し、故に、腫瘍細胞の細胞移動を阻害するように機能できることを指示している。
【実施例１２】
【００６４】
ＰＧＡＳの糖成分の活性決定
実施形態３において調製されたＰＧＡＳ糖成分の抗腫瘍活性を試験した。１５ｍｇ／ｋｇ未満の静脈内注射用量におけるＰＧＡＳの四糖〜十二糖成分（一般式（Ｉ）においてｎが２〜１０であるものに対応する）は、ヌードマウスにおけるヒト乳がんＭＤＡ−ＭＢ−４３５同所異種移植片の成長に対して３０％以下のＴ／Ｃ値を有し、その肺転移に対して９５％以上の阻害率を有し；１０ｍｇ／ｋｇ未満の用量における六糖〜十二糖成分（一般式（Ｉ）において、ｎ＝４〜８）は、ヌードマウスにおけるヒト乳がんＭＤＡ−ＭＢ−４３５同所異種移植片の成長に対して３０％以下のＴ／Ｃ値を有し、その肺転移に対して９５％以上の阻害率を有することが分かった。結果は、硫黄含有量が７〜１５重量％である場合により良好であり、９〜１３重量％である場合が最良であった。
【実施例１３】
【００６５】
ＰＧＡＳの糖成分の腫瘍転移阻害活性の決定
実施例３において分離された異なるＰＧＡＳ糖成分の、腫瘍転移に対する効果は、Transwell細胞アッセイを用いて検出した。トリプシンを使用して、指数関数的に成長した段階においてインビトロで継代培養された乳がんＭＤＡ−ＭＢ−４３５細胞を消化し、続いて、無血清培養液で３回洗浄し、２×１０６／ｍｌに希釈した。１００μｌの細胞希釈物を、Transwell細胞内のウェルの上方室に添加し、６００μｌの１０％ＦＢＳ含有培養液を下方室に添加し、１００μｇ／ｍｌの異なるＰＧＡＳ成分を上方及び下方室の両方に添加した。細胞を、５％ＣＯ２含有インキュベーター内、３７℃で１２時間インキュベートした後、培養培地を除去し、細胞を９０％エタノール溶液中で３０分間固定した。細胞を、０．１％クリスタルバイオレット溶液（０．１Ｍホウ酸、０．１％（ｗ／ｖ）クリスタルバイオレット、２％エタノール）により、室温で１０分間染色し、透明な水ですすぎ、綿棒で拭って上層中の移動しなかった細胞を除去した。顕微鏡下で細胞を観察し、撮影し、記録した。最後に、抽出を１００μｌ／ウェルの１０％酢酸溶液により１０分間にわたって実施し、ＯＤ値を５９５ｎｍで決定し、乳がん細胞における異なる糖成分の移動阻害率を計算した。
移動阻害率(%) = (1-OD処置/OD対照) ×100%
【００６６】
対照群におけるＭＤＡ−ＭＢ−４３５細胞は、ＦＢＳの濃度勾配と平行して、１２時間以内に上方から下方室へ自由に移動できることが分かった。クリスタルバイオレット染色の写真結果から、四糖（一般式Ｉにおいて、ｎ＝２）〜十一糖（一般式Ｉにおいて、ｎ＝９）の範囲にわたる異なるＰＧＡＳ糖成分及びより大きい多糖が、腫瘍細胞移動を有意に阻害でき、これに対し、二糖成分（一般式Ｉにおいて、ｎ＝０）及び三糖成分（一般式Ｉにおいて、ｎ＝１）は、より低い阻害率を有することが分かり（図１１）、種々のＰＧＡＳ成分（特に、四糖〜十一糖及びより大きい多重成分）が、腫瘍細胞の転移阻害効果を有することを指示している。
【００６７】
統計処理
上記のデータを、Statviewソフトウェアによる統計的分析に供し、結果を「平均値±ＳＥ」として表現し、比較にはＡＮＯＶＡを使用した。
【００６８】
上記の薬理学的結果によれば、医薬組成物は、有効量の本発明の硫酸ポリグロン酸を医薬担体と混合することによる従来の製剤化手段を使用して調製され得る。医薬組成物は、腫瘍治療薬及び腫瘍転移治療薬として使用でき、血管新生阻害剤、ヘパラナーゼ阻害剤、Ｃ−Ｍｅｔ酵素阻害剤、微小管重合阻害剤及びアクチン脱重合阻害剤として使用することもできる。腫瘍及び腫瘍転移を治療するための薬剤の調製における本発明の硫酸ポリグロン酸の使用には、非常に重要な有意性がある。
【図１】
2019090056.tif 000012
【図２】
2019090056.tif 000013
【図３】
2019090056.tif 000014
【図４】
2019090056.tif 000015
【図５】
2019090056.tif 000016
【図６】
2019090056.tif 000017
【図７】
2019090056.tif 000018
【図８】
2019090056.tif 000019
【図９】
2019090056.tif 000020
【図１０】
2019090056.tif 000021
【図１１】
2019090056.tif 000022
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
下記の一般式（Ｉ）：
【化１】
2019090056.tif 000023
［式中、
ｎは、０又は１〜２３の整数を表し、
Ｒ１は、ＳＯ３Ｈであり、
Ｒ２は、互いに独立に、Ｈ又はＳＯ３Ｈを表す］
の構造を有する、硫酸ポリグロン酸又は薬学的に許容されるその塩であって、但し、硫酸ポリグロン酸の硫黄含有量として計算される硫酸化度が５〜２０重量％であり、
Ｌ−グルロン酸単位が１，４−グリコシド結合によって互いに結合しており、ヒドロキシルが還元末端の１位に位置しており、糖環がＣ−２位において完全に硫酸化されている、前記硫酸ポリグロン酸又は薬学的に許容されるその塩。
【請求項２】
一般式（Ｉ）において、ｎが、２〜１３の整数である、請求項１に記載の硫酸ポリグロン酸又は薬学的に許容されるその塩。
【請求項３】
一般式（Ｉ）において、ｎが、３、４、５、６、７又は８である、請求項１又は２に記載の硫酸ポリグロン酸又は薬学的に許容されるその塩。
【請求項４】
硫黄含有量が、７〜１５重量％である、請求項１〜３のいずれかに記載の硫酸ポリグロン酸又は薬学的に許容されるその塩。
【請求項５】
硫黄含有量が、９〜１３重量％である、請求項１〜４のいずれかに記載の硫酸ポリグロン酸又は薬学的に許容されるその塩。
【請求項６】
請求項１に記載の硫酸ポリグロン酸又は薬学的に許容されるその塩を調製するための方法であって、下記の構造式（II）において示される通りのポリグルロン酸を、スルホン化試薬と反応させ、続いて、還元剤を介する還元により、一般式（Ｉ）において示される通りの硫酸ポリグロン酸を得るステップを含み、
【化２】
2019090056.tif 000024
構造式（II）において、ｍは、０又は１〜４８の整数を表し、
【化３】
2019090056.tif 000025
一般式（Ｉ）において、ｎ、Ｒ１及びＲ２は、請求項１で定義された通りである、前記方法。
【請求項７】
スルホン化試薬がクロロスルホン酸であり；スルホン化温度が、４５〜８５℃であり；反応時間が、１．５〜４．５時間であり；及び／又は、還元剤が、水素化ホウ素ナトリウム、シアノ水素化ホウ素ナトリウム、ニッケル水素化物試薬若しくはハロゲンベースの還元剤である、請求項６に記載の方法。
【請求項８】
スルホン化温度が、６０〜７５℃である、請求項６又は７に記載の方法。
【請求項９】
反応時間が、２〜３．５時間である、請求項６〜８のいずれかに記載の方法。
【請求項１０】
反応時間が、３時間である、請求項６〜９のいずれかに記載の方法。
【請求項１１】
治療有効量の、請求項１〜５のいずれかに記載の硫酸ポリグロン酸又は薬学的に許容されるその塩を含む、医薬組成物。
【請求項１２】
請求項１〜５のいずれかに記載の硫酸ポリグロン酸又は薬学的に許容されるその塩を含む、腫瘍成長及び／又は転移を阻害するための薬剤。
【請求項１３】
腫瘍が、肝臓がん、胃がん、結腸直腸がん、肺がん、乳がん、膵臓がん、腎臓がん、膀胱がん、前立腺がん、黒色腫及び脳腫瘍からなる群から選択される、請求項１２に記載の薬剤。
【請求項１４】
請求項１〜５のいずれかに記載の硫酸ポリグロン酸又は薬学的に許容されるその塩を含む、血管新生阻害剤、ヘパラナーゼ阻害剤、Ｃ−Ｍｅｔ酵素阻害剤、微小管重合阻害剤、アクチン脱重合因子活性阻害剤、又はアクチン凝集阻害剤。